(57)【要約】      （修正有）【課題】車両の運転者の視界を確保する領域を含む前面部と、この前面部の両側から湾曲して車両の側部に沿うように延びる側面部とが一体に形成されたウィンドシールドにアンテナ素子を設けたものを提供する。【解決手段】ウィンドシールド１０は、車両の運転者の視界を確保する領域１１を含む前面部１２と、前面部の両側に延びる側面部１４ａ，１４ｂとが一枚のガラス板で一体に形成されている。前面部１２と側面部１４ａ，１４ｂとの境界付近は湾曲し、側面部１４ａ，１４ｂが車両の側部に沿うように形成されている。領域１１の外であって、境界付近の湾曲部のウィンドシールド１０の裏面（車内側の面）には、プリント線によりアンテナ素子が形成されている。【選択図】図３
2005260659.tif 000002
【特許請求の範囲】
【請求項１】
車両の運転者の視界を確保する領域を含む前面部と、この前面部の両側から湾曲して車両の側部に沿うように延びる側面部とが一体に形成されたウィンドシールドにおいて、
前記領域の外であって、前記前面部と側面部との境界付近の湾曲部に少なくとも１本のアンテナ素子が設けられていることを特徴とするアンテナ付きウィンドシールド。
【請求項２】
２箇所の前記境界付近の湾曲部に、それぞれアンテナ素子を設け、ダイバーシティ受信を可能にしたことを特徴とする、請求項１に記載のアンテナ付きウィンドシールド。
【請求項３】
前記ウィンドシールドは、熱可塑性樹脂膜により２枚以上のガラス板および／または樹脂板を貼り合わせてなる合わせ構造体であり、前記アンテナ素子は、前記ウィンドシールドの車内側の面に形成されていることを特徴とする請求項１または２に記載のアンテナ付きウィンドシールド。
【請求項４】
前記ウィンドシールドは、熱可塑性樹脂膜により２枚以上のガラス板および／または樹脂板を貼り合わせてなる合わせ構造体であり、前記アンテナ素子は、前記ウィンドシールドの内部であって、前記熱可塑性樹脂膜に接触する前記ガラス板または樹脂板の面に、あるいは前記熱可塑性樹脂膜内に形成されていることを特徴とする請求項１または２に記載のアンテナ付きウィンドシールド。
【請求項５】
前記境界付近の湾曲部には、前記少なくとも１本のアンテナ素子を覆う遮蔽膜がさらに設けられていることを特徴とする、請求項１〜４のいずれかに記載のアンテナ付きウィンドシールド。
【請求項６】
前記アンテナ素子は、プリント線またはワイヤ線であることを特徴とする請求項１〜５のいずれかに記載のアンテナ付きウィンドシールド。
【請求項７】
前記アンテナ素子は、ＡＭ受信用のアンテナ素子，ＦＭ受信用のアンテナ素子，ＴＶ受信用のアンテナ素子のうちの少なくとも１種類以上よりなることを特徴とする、請求項１〜６のいずれかに記載のアンテナ付きウィンドシールド。
【発明の詳細な説明】
【技術分野】
【０００１】
本発明は、アンテナつき車両用ウィンドシールド、特に、前方および前側方の視界を確保したウィンドシールドにアンテナを設けたものに関する。
【背景技術】
【０００２】
従来より、自動車に代表される車両のウィンドシールド（フロントガラス）にアンテナ素子を設けテレビ（ＴＶ），ラジオ（ＡＭ，ＦＭ）などの電波を受信する、いわゆるガラスアンテナが提案されている。
【０００３】
例えば、特許文献１において、ＴＶ波を車両にて受信するために、ウィンドシールドに逆凸形状のアンテナ素子を配設する車両用アンテナ構造が提案されている。
【０００４】
また、特許文献２において、ＦＭ波およびＡＭ波を車両にて受信するために、ウィンドシールドの上縁部近傍にループ形状のアンテナ素子、およびループ形状のアンテナ素子の下辺部に接続され、ウィンドシールドの下縁部に向かって略垂直に延設されたアンテナ素子を備える車両用アンテナ構造が提案されている。さらにループ形状のアンテナ素子および略垂直に延設されたアンテナ素子を暗色のカーボン粒子を含有する銀ペーストにより形成することが開示されている。
【特許文献１】特開平０９−１３０１２４号公報
【特許文献２】特開２００１−２１１０２１号公報
【発明の開示】
【発明が解決しようとする課題】
【０００５】
しかし、上述した特許文献１に開示された方法では、アンテナ素子の一般的な特性として、受信すべき電波の波長（周波数帯域）に応じて、最適なアンテナ素子のサイズおよび形状は大きく異なるため、逆凸形状のアンテナ素子をＦＭ波やＡＭ波を受信するアンテナ素子として採用するには、少なくともアンテナ素子のサイズをかなり大きくする必要があり、この場合、車両の前方の視界を確保できず、ウィンドシールドの視認性を妨げるという問題が生じる。
【０００６】
また、特許文献１および２に開示された方法では、車両の前方の視界を確保するため、アンテナ素子の幅を細くする必要があり、アンテナの感度性能が低下するという問題が生じる。また、車両を車外側より見た場合、アンテナ素子が目立ち、美観を損なうという問題点が生じる。
【０００７】
近年、車両の前方の視界だけでなく前側方の視界をも確保したウィンドシールドが提供されてきている。なお、この明細書では、「前側方」という用語は、斜め前方および側方の両方を含めた意味で用いるものとする。このウィンドシールドは、図１に示す従来の車両におけるフロントガラス６と、車両側部のフロントドアの前方に設けられている三角形状のフロントベンチガラス８とを一体として形成したものである。
【０００８】
図２に、この種のウィンドシールドを示す。ウィンドシールドを１０で示す。従来では、フロントガラスとフロントベンチガラスとの間に存在した車体の一部である金属製ピラーが無いので、運転者にとって前方および前側方の視界が確保されている。
【０００９】
本発明の目的は、上述した種類のウィンドシールドにアンテナを設けることにより、前述したガラスアンテナの問題点を解決することにある。
【課題を解決するための手段】
【００１０】
本発明は、車両の運転者の視界を確保する領域を含む前面部と、この前面部の両側から湾曲して車両の側部に沿うように延びる側面部とが一体に形成されたウィンドシールドにおいて、前記領域の外であって、前記前面部と側面部との境界付近の湾曲部に少なくとも１本のアンテナ素子が設けられていることを特徴とする。
【００１１】
なお、この明細書において、運転者の視界を確保する領域とは、例えば、日本においては自動車用安全ガラスにおける透視ひずみ，二重像の規制（ＪＩＳＲ３２１１：１９９８  ４．１１透視ひずみ，４．１３二重像）による試験領域Ａを意味する。欧州においては、安全ガラスおよび窓ガラス材料の認証に関する統一規定（ＵＮＩＦＯＲＭ  ＰＲＯＶＩＳＩＯＮＳ  ＣＯＮＣＥＲＮＩＮＧ  ＴＨＥ  ＡＰＰＲＯＶＡＬ  ＯＦ  ＳＡＦＥＴＹ  ＧＬＡＺＩＮＧ  ＡＮＤ  ＧＬＡＺＩＮＧ  ＭＡＴＥＲＩＡＬ）における透視ひずみ，二重像の規制（ＥＣＥ  Ｒ−４３  Ａｎｎｅｘ３，９．２透視ひずみ試験，９．３二重像試験）によるテスト領域Ａを意味する。
【００１２】
また、この明細書において「湾曲部」という用語は、緩やかに曲がっているものから、折り曲げに近いほど急峻に曲がっているものまでも含めたものとして用いる。
【００１３】
本発明においては、前記アンテナ素子は、ＡＭ受信用のアンテナ素子，ＦＭ受信用のアンテナ素子，ＴＶ受信用のアンテナ素子のうちの少なくとも１種類以上のものとすることができる。また、２箇所の境界付近の湾曲部には、それぞれアンテナ素子を設け、ダイバーシティ受信を可能にすることができる。
【００１４】
本発明を適用できるウィンドシールドは、熱可塑性樹脂膜により２枚以上のガラス板および／または樹脂板を貼り合わせてなる合わせ構造体であり、前記アンテナ素子は、前記ウィンドシールドの車内側の面、あるいはウィンドシールドの内部に形成される。
【００１５】
また、前記境界付近の湾曲部には、アンテナ素子を覆う遮蔽膜をさらに設けてもよい。
【発明の効果】
【００１６】
本発明のアンテナ付き車両用ウィンドシールドによれば、以下の効果が得られる。
（１）アンテナ素子は、前面部と側面部との境界付近の湾曲部であって、運転者の視界を確保する領域の外に設けられているので、ドライバにとって前方の視界は妨げられない。また、アンテナ素子の線幅を細くする必要がないため、高い受信感度が得られる。
（２）アンテナ素子は、湾曲部に設けられているため目立ちにくい。また遮蔽膜を設けた場合、アンテナ素子は遮蔽膜に隠れ見えないため美観がよい。
（３）運転者の視界を確保する領域の外の面積が広いため、複数のアンテナ素子を設けることができ、そのため良好なダイバーシティ受信を行うことができる。
【発明を実施するための最良の形態】
【００１７】
図３は、本発明のアンテナ付きウィンドシールドの一実施例を示す。ウィンドシールド１０は、車両の運転者の視界を確保する領域１１を含む前面部１２と、前面部の両側に延びる側面部１４ａ，１４ｂとが一体に形成されている。前面部１２と側面部１４ａ，１４ｂとの境界付近は湾曲し、側面部１４ａ，１４ｂが車体（図示せず）の側部に沿うように形成されている。
【００１８】
ウィンドシールドは、２枚以上のガラス板を熱可塑性樹脂膜で接着した合わせガラスである。境界付近の湾曲部のウィンドシールド１０の裏面（車内側の面）には、プリント線によりアンテナ素子が形成される。プリント線は、曲げ加工を行う前の平板状態で、導電性のペースト、例えばＡｇを含有するペーストをスクリーン印刷等の既存のプリント方法によりプリントし、その後、ガラス板を加熱し、曲げると同時にペーストを焼きつけることにより形成される。
【００１９】
図３の例では、ダイバーシティ受信を行うため、両側の湾曲部に同一のアンテナ素子を設けている。ＦＭアンテナ素子１６ａ，１６ｂ、ＴＶ用アンテナ素子１８ａ，１８ｂ，２０ａ，２０ｂである。
【００２０】
各アンテナ素子はガラス板の湾曲に沿った直線状であり、アンテナ素子の長さＬは良好な受信感度が得られるように選ばれる。受信電波の中心波長をλとした場合に、アンテナ素子の長さＬは、
Ｌ＝（１／４）×λ×短縮率
で与えられる。ここに短縮率とは、誘電体基板（この場合、ガラス板）を伝搬する電波の伝搬速度に関係するもので、アンテナが共振するように、誘電体基板上に形成されるアンテナの寸法が、誘電体基板のない場合に想定されるアンテナ寸法に比べて小さくなる比率をいう。一例として、ＦＭ用アンテナの場合、アンテナ素子の長さＬは、λが４ｍ（７６ＭＨｚ）のとき、Ｌ＝（１／４）×４ｍ×０．６５≒０．６５ｍとなる。
【００２１】
各アンテナ素子は、それぞれの給電点に接続されている。すなわち、ＦＭアンテナ素子１６ａ，１６ｂは、給電点１７ａ，１７ｂに接続され、ＴＶアンテナ素子１８ａ，１８ｂは、給電点１９ａ，１９ｂに接続され、ＴＶアンテナ素子２０ａ，２０ｂは、給電点２１ａ，２１ｂに接続されている。これら給電点は、車体に近い側に設けることが望ましい。給電点への配線が短くなり、性能的にも好ましいからである。
【００２２】
以上のプリント線および給電点は、運転者の視界を確保する領域１１の外に設けられる。領域１１の外の面積が広いため、アンテナ素子の自由な設計が可能となり、このためアンテナ素子の本数を増やす、あるいはアンテナ素子の線幅を太くすることが可能となる。これによりアンテナの受信感度を向上させることができる。
【００２３】
アンテナ素子がウィンドシールドの美感を損なうことが問題となる場合には、図４に示すように、ウィンドシールドの裏面（車内側の面）に、遮蔽膜２２ａ，２２ｂを設けてアンテナ素子１６ａ，１６ｂ，１８ａ，１８ｂを隠すようにすればよい。このようにすることにより、アンテナ素子を車外から見えないようにすることができる。
【００２４】
遮蔽膜２２ａ，２２ｂとしては、従来より車両用窓ガラスの周辺に設けられる黒色の遮蔽膜などを用いることができる。この場合のウィンドシールドは、その裏面に、黒色顔料を含有するペーストを、スクリーン印刷等の既存のプリント方法によりプリントし、乾燥させて遮蔽膜を形成し、その後、導電性ペーストを塗布し、ガラス板を加熱し、曲げると同時にペーストを焼きつけることによりプリント線を形成する。
【００２５】
以上の実施例では、プリント線をウィンドシールドの裏面に形成しているが、耐傷つき性や受信感度の観点から合わせガラス板の内部に形成することが好ましい。この場合プリント線は、熱可塑性樹脂膜が接触するガラス板の表面に形成される。
【００２６】
合わせガラス板の内部にアンテナ素子を形成する場合、アンテナ素子としてプリント線の他にワイヤー線を用いることができる。ワイヤー線を用いる場合、ワイヤー線はあらかじめ熱可塑性樹脂膜の表面または膜中の所定部位に形成し（例えば、加熱したワイヤー線を熱可塑性樹脂膜に押し当てることにより、熱可塑性樹脂を局所的に溶かし、ワイヤー線を固定する、または接着剤により熱可塑性樹脂膜に接着する等により）、ワイヤー線を形成した熱可塑性樹脂を介してガラス板を接着することにより容易に得られる。
【００２７】
アンテナ素子を合わせガラス板の内部に設ける場合、遮蔽膜を合わせガラス板の内部および／または合わせガラス板の裏面（車内側の面）に設けて、アンテナ素子を車外および／または車両から見えないようにすることができる。
【００２８】
また、前述した遮蔽膜を合わせガラス板内に設ける場合には、熱可塑性樹脂膜に接するガラス表面の他に、熱可塑性樹脂膜の表面または膜中に設けることができる。
【００２９】
アンテナ素子の形成は、以上の例に限定されるものではなく表面にアンテナ素子を形成した樹脂フィルムを粘着剤によりウィンドシールドの裏面に接着してもよい。
【００３０】
以上の実施例では、アンテナ素子は、見た目が目立ちにくいという観点から（湾曲に沿った）直線状としたが、アンテナ素子は受信波を受信できれば形状はこだわらない。また、ＡＭ用アンテナ素子を構成することもできる。
【００３１】
また、ウィンドシールドとしてガラス板を用いているが、樹脂板複数枚を合わせ構造にしたものでもよい。さらには、ガラス板と樹脂板とを合わせ構造にしたものであってもよい。また、１枚板のガラス板あるいは樹脂板であってもよい。
【図面の簡単な説明】
【００３２】
【図１】従来のウィンドシールドを示す図である。
【図２】本発明が適用されるウィンドシールドを示す図である。
【図３】本発明の一実施例を示す図である。
【図４】本発明の他の実施例を示す図である。
【符号の説明】
【００３３】
１０  ウィンドシールド
１２  前面部
１４ａ，１４ｂ  側面部
１６ａ，１６ｂ，１８ａ，１８ｂ，２０ａ，２０ｂ  アンテナ素子
１７ａ，１７ｂ，１９ａ，１９ｂ，２１ａ，２１ｂ  給電点
２２ａ，２２ｂ  遮蔽膜
【図１】
2005260659.tif 000003
【図２】
2005260659.tif 000004
【図３】
2005260659.tif 000005
【図４】
2005260659.tif 000006